(57)【特許請求の範囲】
【請求項１】
複数の画素を含む画素列を複数有し、
前記画素列ごともしくは複数の前記画素列ごとに設けられ、前記画素の信号が出力される第１の信号線と、
前記第１の信号線ごとに設けられ、対応する前記第１の信号線の信号を保持する信号保持部と、
複数の前記信号保持部で保持された信号が出力される第２の信号線と、
前記信号保持部ごとに設けられ、前記信号保持部と前記第２の信号線との導通を制御する第１のスイッチと、を有する光電変換装置の駆動方法であって、
複数の前記信号保持部に保持された信号を、前記第１のスイッチを順次導通させることにより読み出す第１のステップと、
前記第１のステップの後に、当該第１のステップにて信号が読み出された信号保持部に対応する複数の前記第１のスイッチを同時に導通させる第２のステップと、を有し、
前記第２のステップは、前記第１のステップの後に、前記第１のステップにおいて信号が読み出された信号保持部をリセットすることなく、前記第１のステップで読み出された後に前記複数の信号保持部に残存する信号を読み出すことを特徴とする光電変換装置の駆動方法。
【請求項２】
前記第１のステップ及び第２のステップは同一の水平走査期間中に行なわれることを特徴とする請求項１に記載の光電変換装置の駆動方法。
【請求項３】
更に、前記第２の信号線にリセット電圧を供給するための第２のスイッチを有し、前記第２のステップの後に、前記第１のスイッチ及び前記第２のスイッチを導通させることにより、前記信号保持部をリセットする第３のステップを有することを特徴とする請求項１または２のいずれかに記載の光電変換装置の駆動方法。
【請求項４】
前記第１のステップの後で且つ前記第２のステップの前に、前記第２のスイッチを導通させ且つ前記第１のスイッチを非導通とすることにより、前記第２の信号線をリセットする第４のステップを有することを特徴とする請求項３に記載の光電変換装置の駆動方法。
【請求項５】
第１の画素行の水平走査期間中には、前記第１のステップ及び前記第２のステップを行ない、第２の画素行の水平走査期間中には、前記第１のステップのみを行なうことを特徴とする請求項１〜４のいずれか１項に記載の光電変換装置の駆動方法。
【請求項６】
前記光電変換装置は更にカラーフィルタを有しており、
前記第２のステップは、同色の画素からの信号を保持する複数の信号保持部に対応する第１のスイッチを同時に導通させることを特徴とする請求項１〜５のいずれか１項に記載の光電変換装置の駆動方法。
【請求項７】
請求項１〜６のいずれか１項に記載の光電変換装置の駆動方法の前記第２のステップにより得られた信号を用いて、フリッカの有無を検出することを特徴とする撮像システム。
【発明の詳細な説明】
【技術分野】
【０００１】
本発明は、光電変換装置の駆動方法及び駆動システムに関するものである。
【背景技術】
【０００２】
近年、光電変換装置の進歩により、高画質で安価なデジタルカメラが普及している。特に画素内に能動素子（増幅素子）を持ち、周辺回路をオンチップ化できるＣＭＯＳセンサの性能向上はめざましく、一部ＣＣＤセンサを置き換えるに至っている。
【０００３】
ＣＭＯＳセンサを用いて動画撮影を行なった場合、蛍光灯などの照明下で、蛍光灯の輝度変化の周波数とカメラの垂直同期周波数（撮像周波数）との違いによって、撮影出力の映像信号に時間的な明暗の変化、いわゆる蛍光灯フリッカが生じる。この問題に対して、特許文献１においては、このような固有の蛍光灯フリッカを抑制するために、フリッカ成分検出（または補正）のための画面上下の縞模様情報を、システムにて映像信号を時間積分することにより得ることとしている。
【特許文献１】特開２００４‐２２２２２８号公報（図１６、図１７等）
【発明の開示】
【発明が解決しようとする課題】
【０００４】
しかしながら特許文献１においては、積分値を算出するために処理時間が必要となり撮影画像をリアルタイムで補正できない、あるいは、ビューファインダ用モニタ表示のディレイが大きくなる。また、システム構成が複雑になりコストダウンや装置の小型化の弊害となるといった問題が考えられる。
【０００５】
本発明はこのような課題に鑑み、システム構成を複雑化することなく、フリッカを抑制可能な駆動方法を提供することを目的とする。または、リアルタイムの画像信号処理に適したフリッカ情報を得ることを目的とする。本発明はこれらの少なくとも一方を達成することを目的とする。
【課題を解決するための手段】
【０００６】
本発明は、複数の画素を含む画素列を複数有し、
前記画素列ごともしくは複数の前記画素列ごとに設けられ、前記画素の信号が出力される第１の信号線と、
前記第１の信号線ごとに設けられ、対応する前記第１の信号線の信号を保持する信号保持部と、
複数の前記信号保持部で保持された信号が出力される第２の信号線と、
前記信号保持部ごとに設けられ、前記信号保持部と前記第２の信号線との導通を制御する第１のスイッチと、を有する光電変換装置の駆動方法であって、
複数の前記信号保持部に保持された信号を、前記第１のスイッチを順次導通させることにより読み出す第１のステップと、
前記第１のステップの後に、当該第１のステップにて信号が読み出された信号保持部に対応する複数の前記第１のスイッチを同時に導通させる第２のステップと、を有し、
前記第２のステップは、前記第１のステップの後に、前記第１のステップにおいて信号が読み出された信号保持部をリセットすることなく、前記第１のステップで読み出された後に前記複数の信号保持部に残存する信号を読み出すことを特徴とする。
【発明の効果】
【０００７】
本発明によれば、簡易な構成でフリッカを検出することが可能となる。
【発明を実施するための最良の形態】
【０００８】
（第１の実施形態）
図１は第１の実施形態による光電変換装置の概略図である。１０１はそれぞれが光電変換素子および光電変換素子で生成した電荷に基づく信号を読み出すための画素回路を持つ画素である。画素が行列状に配列され、複数の画素を含む画素列１００１を複数有する構成となっている。
【０００９】
１０２は垂直信号線（第１の信号線）であり、上述した画素列ごともしくは複数の画素列ごとに設けられている。対応する画素列に含まれる画素の信号が出力される。また第１の信号線１０２と、定電流回路１０３および画素回路に含まれるトランジスタ（不図示）によりソースフォロワ回路を構成し、各光電変換素子に入射した光量に応じた信号を増幅（インピーダンス変換）する。その後、第１の信号線の信号は列アンプ１０４に入力される。
【００１０】
列アンプ１０４の出力はスイッチ１０５を介してラインメモリ（信号保持部）１０６に保持される。信号保持部１０６は、各第１の信号線に対応して設けられ、対応する第１の信号線の信号を保持する。信号保持部１０６のそれぞれに含まれる容量は、信号転送スイッチ（第１のスイッチ）１０７〜１１０を介して、出力チャネル線（第２の信号線）１１１に接続されている。つまり、第１のスイッチ１０７〜１１０により、信号保持部と第２の信号線との導通が制御され、第２の信号線に信号保持部で保持された信号が出力される。
【００１１】
第２の信号線１１１はリセットスイッチ（第２のスイッチ）１１４を介してリセット電源１１５に接続されている。リセットスイッチによりリセット電源からリセット電圧が供給される。第２の信号線１１１の信号は出力アンプ１１２に入力され、出力アンプ１１２の出力部１１３は、不図示の出力パッドに引き出され、次段の信号処理システムに出力される。あるいは、信号処理システムは光電変換装置中にオンチップ化されていても良い。
【００１２】
図２は光電変換装置の駆動パルスの概略図である。Ｐ１０７〜Ｐ１１０はそれぞれ第１のスイッチ１０７〜１１０のゲートに入力するパルスを示している。Ｐ１１４は第２のスイッチ１１４に入力するパルスを示している。これらスイッチはＨｉｇｈで活性化され導通する。
【００１３】
Ｖ１１３は出力部１１３の信号を示しており、Ｖ１１３の各時刻における信号Ｖ１０７〜Ｖ１１０はパルスＰ１０７〜Ｐ１１０にて選択され読み出された信号に対応する出力である。Ｖ１０７〜Ｖ１１０は画像を形成するための信号読み出しの水平走査を意味しており、第１のスイッチ１０７〜１１０を順次導通させることにより信号保持部１０６に保持された信号電荷を容量分割により第２の信号線１１１に時系列的に読み出している。つまり、複数の信号保持部に保持された信号を、第１のスイッチを順次導通させることにより読み出している（第１のステップ）ともいえる。容量分割後、信号保持部１０６および第２の信号線１１１の信号振幅レベルＶｃｈは、信号保持部１０６に最初に保持された信号振幅をＶｃｔ、信号保持部１０６に含まれる容量の容量値をＣｔ、第２の出力線の容量をＣｈとした場合、次式で表現できる。
【００１４】
【数１】
0005094248.tif 000002
【００１５】
本実施形態においては第１のスイッチ１０７〜１１０を非導通とした後に第２の信号線１１１を第２のスイッチ１１４にてリセットしている。そのため、第２の出力線１１１の信号はリセットされるが、電荷保持部１０６には式１で記述される信号が残存する。Ｖｓｕｍの出力は、水平走査を行なった後に、第１のスイッチ１０７〜１１０を同時に導通させる（第２のステップ）ことで第２の出力線１１１にて水平方向の平均化信号を生成することにより実現することができる。ここで同時に導通させる第１のスイッチの数はいくつでもよく、全てを導通させてもよいし、複数の第１のスイッチの一部を導通させてもよい。
【００１６】
Ｖｓｕｍは水平方向の平均化信号であり、画像の水平方向の解像度を持たない信号ともいえる。同一の第２の信号線に接続された第１のスイッチのうち同時に導通させるスイッチ数をＮとした場合、Ｖｓｕｍは次式で表現できる。
【００１７】
【数２】
0005094248.tif 000003
【００１８】
Ｖｓｕｍ信号はフリッカ成分検出（または補正）のための画面上下の縞模様情報として利用することができる。なお、式２では説明の簡略化のため全てのＣｔに同じ信号振幅が保持されている仮定で式を立てたが、現実には１行ごとにＶｃｔの値が異なる。また、式２はＮ×Ｃｔ＞＞Ｃｈである場合にはＶｓｕｍ≒Ｖｃｈとなる。本実施形態においては、Ｖｓｕｍ信号を出力した後、第１のスイッチ１０７〜１１０を導通させた状態で第２の信号線１１１をリセットすることにより、信号保持部１０６についてもリセットすることが可能である。具体的には上述の第２のステップの後に、前記第１のスイッチ及び前記第２のスイッチを導通させることにより信号保持部をリセットしている。これにより次の水平期間の読み出しに向けた準備を速やかに行なうことができ、水平走査期間の短縮を図ることができる。
【００１９】
通常であれば、水平走査期間とは、水平走査、信号保持部１０６と第２の信号線１１１のリセットを行なう期間を合わせた期間を意味する。しかし、本実施形態においては、一水平走査期間中に更に平均化信号の読み出し（第２のステップ）を行なっていることを特徴としている。
【００２０】
本実施形態による光電変換装置の駆動方法によれば、撮像システムを複雑化させることなく水平走査後に簡単かつ速やかに水平方向の平均化信号を読みだすことが可能となる。上述したようにフリッカは蛍光灯の輝度変化の周波数とカメラの撮像周波数との違いによって発生するため、複数行の平均化信号を用いればフリッカを検出することが可能となる。本実施形態によればこのような平均化信号を次段の処理部へ容易に出力し提供することが可能となる。
【００２１】
また、リアルタイムのフリッカ補正を短時間で行なうための信号を出力することができ、これにより、液晶モニタ表示のディレイを小さくすることも可能となる。
【００２２】
また、本実施形態によれば、水平方向の平均化信号を生成するためのラインメモリ等を新たに設ける必要がなく、読み出し経路も通常の画像信号と同様の経路を流用することが可能である。これにより低コストにてフリッカ補正用の信号を出力することが可能である。また本実施形態の光電変換装置を用いた撮像システムとして考えた場合にも、光電変換装置の駆動のみによりフリッカ検出用の信号を出力することができ、追加の構成も必要としないためシステムの小型化を実現することが可能である。
【００２３】
また、本実施形態における光電変換装置の駆動方法によれば、読み出し経路を増やすことなく、画像水平方向の平均化信号を出力することが可能である。すなわち、専用の出力パッドや、検査、調整の対象となるアンプの増加を伴わない。それによりコストアップやチップサイズ増大というトレードオフなしに水平方向の平均化信号を得ることができる。
【００２４】
（第２の実施形態）
本実施形態において第１の実施形態と比較して特徴となるのは、平均化信号の読み出しを数行毎に間引いて行なっている点である。例えば図１中の画素１０１ａを含む画素行と画素１０１ｃを含む画素行とを読み出す水平走査後に平均化信号の読み出しを行なう。そして、画素１０１ｂ、１０１ｄを含む画素行を読み出す水平走査後には平均化信号の読み出しは行なわない。フリッカ検出信号は垂直方向において、高い解像度を持つことは必須では無いため、データを間引いて処理することにより読み出しや処理の高速化が行なえる。さらに、カラーフィルタがオンチップとなったセンサにおいて、ｍ（２の倍数）画素（行）周期で平均化信号を読み出すことで、平均化する色を限定することができる。例えばベイヤー配列のカラーフィルタの場合、Ｒ、Ｇ１、Ｇ２、Ｂの４種類の色プレーンを持つが、本実施例の駆動によればＲとＧ１の平均のみ、つまり同色の信号を平均化信号として出力することが可能である。これによりフリッカ検出信号を、より検出しやすい波長領域で行なうことが可能である。
【００２５】
（第３の実施形態）
図３は第３の実施形態による光電変換装置の説明図である。図中の番号は図１と同様である。本実施形態では第２の出力線１１１が１１１と１１１‘の２本に分割されており、奇数画素列と偶数画素列で異なる出力経路になっている。それぞれの信号は出力部１１３、１１３’に出力される。
【００２６】
図４は本実施形態の駆動パルスの概略図である。本実施形態では第１のスイッチ１０７と１０８を同時に導通させることが可能である。このように第２の出力線を分割して実質的に出力線の数を増やしたことにより同時刻に読み出すことが可能な信号を増やすことができ、水平走査における信号読み出しを高速化できる。
【００２７】
本実施形態では水平方向の信号の平均化は分割された分割出力線毎に行なわれ、図４のＶｓｕｍ、Ｖｓｕｍ‘のように並行して出力することができる。第２の出力線の分割数ｎは任意である。特に分割数ｎが２の倍数である場合、カラーフィルタがオンチップとなったセンサにおいて、平均化する色を限定することができる。例えばベイヤー配列のカラーフィルタの場合、Ｒ、Ｇ１、Ｇ２、Ｂの４種類の色プレーンを持つが、本実施例によればＲとＧ２のみを平均化信号として出力することが可能である。さらには、第２の実施形態と合わせて、ｎ×ｍ画素毎の信号の平均化を行なうことができる。この場合には、特定の色プレーンの信号を出力することができる。また、分割された出力線毎に特定の色プレーンのみの信号が出力されるため、任意の色を選択してフリッカ検出信号を検出し、より検出精度の高い波長領域でフリッカ検出を行なうことも可能である。
【００２８】
（第４の実施形態）
図５は第４の実施形態による撮像システムのブロック図である。５０１が光電変換装置であり、上述の実施形態で説明したものを用いることが可能である。５０２がフリッカ検出部である。光電変換装置５０１からの信号に基づいて、撮像した信号にフリッカが混入されているか否かを判断可能である。５０３は画像生成部であり、光電変換装置５０１からの信号を元に画像を生成する。また画像生成部５０３には、フリッカ検出部５０２からの信号が供給されており、この供給信号に基づいてフリッカが抑制された画像を生成することが可能となる。５０４は画像表示部であり、画像生成部５０３により生成された画像を表示する液晶モニタなどである。フリッカ検出部５０２及び画像生成部５０３は個別の回路部もしくは別のデバイスとしてもうけてもよいし、単一の信号処理部５０５の中に含まれていてもよい。
【００２９】
次に本実施形態の撮像システムにおける信号の伝播を詳細に説明する。６０１が画素領域であり、複数の画素が配されている。これは光電変換装置に含まれている。６０２が第１の信号保持部であり、画素領域で生成した信号を保持する。この第１の信号保持部６０２には複数の画素に対応した容量が複数設けられている。例えば、上述した実施形態における信号保持部を用いることができる。複数の画素が配された画素領域６０１から出力された信号は第１の信号保持部６０２で一旦保持される。例えば、上述した第１〜第３の実施形態で述べた方法により画素からの信号が第１の信号保持部６０２に保持され、水平走査により画像信号として出力される。その後、第１の信号保持部６０２に含まれる複数の容量に保持された信号を平均化することにより複数の信号の平均化信号を取得する。この平均化信号を第２の信号保持部６０３に１フィールド期間にわたって保持する。次のフレーム（または、時刻の近い異なるフレーム）にて、同様に第１の信号保持部６０２から出力される水平方向の平均化信号と第２の信号保持部６０３に保持された信号を、垂直方向のアドレスが同じ信号どうしで、逐次差分する。これにより、フリッカ検出信号を得ることができる。つまり、第１の平均化信号を１フィールド期間保持し、この１フィールド期間経過後の第１の平均化信号を得た同一の画素からの信号により得られる第２の平均化信号とを差分処理することによりフリッカを検出している。ここでは第２の信号保持部６０３及び差分回路６０４が上述した図５のフリッカ検出部５０２に含まれることとなる。
【００３０】
本実施形態では、時刻の異なる２つのフレーム間の信号を差分処理することによりフリッカ検出信号を得ることができる。この場合、被写体の垂直方向の模様の影響を相殺することができる。すなわち、被写体の模様によらず、時刻による光源の変化を検知することができる。具体的には、２つのフレーム間の水平方向画像の平均化信号の差分を時間周波数でフーリエ変換し、交流電源の周波数（５０Ｈｚまたは６０Ｈｚ）である成分に対して判定値を設けることによりフリッカの有無やフリッカの周波数を検出することが可能である。また、フリッカの周波数が判明することにより、フリッカの位相情報もフリッカ検出信号から検出することができる。
【００３１】
（第５の実施形態）
図６は第５の実施形態による撮像システムのブロック図である。図５と同様の機能を有するものには同様の符号を付し詳細な説明は省略する。本実施形態の撮像システムの特徴を、第４の実施形態と比較して説明する。本実施形態では、更に第３の信号保持部７０１を有している。
【００３２】
このような構成により、水平走査ごとの平均化信号を異なる２つのフィールド期間にわたり、第２および第３の信号保持部に保持し、これらの信号を同じ垂直方向のアドレスどうしで差分することにより、フリッカ検出信号を得ている。本実施形態では、時刻の異なる２つのフレーム間の信号を差分処理することによりフリッカ検出信号を得るため、被写体の垂直方向の模様の影響を相殺することができる。さらに加えて、本実施形態では、画素領域の駆動のタイミングによらず、システムの要求に応じて任意の時刻にフリッカ検出信号を出力することが可能となる。
【００３３】
（第６の実施形態）
図８は第６の実施形態による光電変換装置の概略図である。図中の番号は図１と同様の機能を有するものには同様の番号を付し詳細な説明は省略する。本実施例にて特徴的なことは、第２の出力線１１１にスイッチ１１６を介して付加容量１１７が接続されている点である。
【００３４】
本実施形態による光電変換装置の駆動パルスを図９にて説明する。図中の番号は図２と同様である。Ｐ１１６はスイッチ１１６のゲートのパルスを示している。Ｔ１は通常の画像信号を読み出す行の水平走査期間を示し、Ｔ２は通常の画像信号を読み出さず、平均化信号のみを読み出す水平走査期間を示している。平均化信号を得るための画素行においては画像信号を読み出すことなく複数の信号保持部の信号が読み出される。したがって、通常の画像信号の振幅に比べ、信号の振幅が大きくなりすぎることに対して対策を行なっている。信号の振幅が大きすぎる場合、読み出し回路や後段の処理回路のダイナミックレンジを越えてしまうと平均化信号を正しく読み出せなくなる。本実施形態による光電変換装置の駆動方法によれば、画像信号を読み出す際に平均化信号の読み出し時のゲインが可変であるため平均化信号の振幅をダイナミックレンジ内に圧縮することができる。具体的な一例として、図８、９に示したように第２の出力線１１１に付加容量１１７を接続することによりゲインを下げる構成である。平均化信号を読み出す際にスイッチ１１６を導通させることにより、第２の出力線の容量を増やすことにより上述した容量分割比をさげることによりゲインを下げている。
【００３５】
本実施形態の思想はこの回路形式に限定されるものではなく、列アンプやメインアンプのゲインを可変にして行なうことも可能である。しかし信号の出力経路途中の各部での振幅を、画像信号の読み出し時と水平方向画像の平均化信号の間で揃えた場合が最も好ましいゲインのバランスであることを考えると、本実施による回路構成は好ましいものである。
【００３６】
以上詳細に本発明に関して説明してきたが、本発明はこれら実施形態に限定されるものではなく、発明の要旨を超えない範囲で適宜変更、組み合わせが可能である。
【００３７】
例えば、フリッカ検出信号の取得方法においては、特定の画素行において画像信号を取得するための水平走査を行なわない場合でも、平均化信号の生成が可能である。すなわち、信号保持部１０６に保持された信号電荷を容量分割により第２の出力線１１１に時系列的に読み出すこと無く、信号転送スイッチ１０７〜１１０を同時に導通させることにより第２の信号線１１１にて水平方向の平均化信号を生成することも可能である。この動作を行なう行においては水平走査による画像信号を取得することができなくなるが、間引き走査することによって読み出さない行において行なえばよい。間引き読み出しによる二次元画像の取得と、フリッカ検出信号の取得を両立することが可能である。
【００３８】
またスイッチを同時に導通させる動作は、導通動作全てが同時（開始から終了まで全てが同一期間）でなくてもその一部が同時に行なわれていればよい。
【００３９】
また平均化信号を、フリッカを検出するための信号として用いるためには、少なくとも同一時間露光された複数の画素信号の平均化信号を複数出力すればよい。つまり、第１の露光時間により生成された複数の画素の信号を平均化することにより得られる第１の平均化信号と第２の露光時間により生成された複数の画素の信号を平均化することにより得られる第２の平均化信号とを少なくとも出力することができればよい。その一具体例として、第１から第３の実施形態のような駆動方法により得られる平均化信号を用いることができる。このような平均化信号を用いて図５などで説明した撮像システムによりフリッカを検出することが可能である。この場合には異なるフレームにおける同一行の平均化信号を用いてもよいし、同一フレームにおいて異なる行の平均化信号を用いてもよい。
【００４０】
また更に、水平方向の平均化信号のその他の応用としては、フリッカ補正以外の用途として用いることも可能である。例えば横スミア（例えば、特開平０４−０２１２８１号公報参照）と呼ばれる現象の抑制に用いることも可能である。
【００４１】
横スミアは行毎に発生する問題であり、局所的に強い光があたった画素と同一画素行の周辺の画素信号が白く浮く、もしくは黒く沈む現象である。したがって水平方向に発生するスミア現象ともいえる。かつ、本発明者らの検討によれば、横スミアの発生量は各行の光信号出力の総和にほぼ比例する。すなわち、水平方向の平均化信号と横スミア発生量は相関をもつ。この相関関係を予め測定しておき、補正式を作成しておくことにより、画像水平方向の平均化信号を用いて横スミアを補正することが可能である。なお、横スミアの抑制に関しては、数々の提案がなされているが、必ずしも発生を完全に抑えるものでは無く、程度の軽減を図るものである。本発明による横スミアの補正は、従来の技術に加えて行なうことも可能であり、横スミア発生の程度の更なる軽減を図ることができる。
【００４２】
また本発明における平均化信号は加算信号でも同じ効果を得ることができる。Ｃｔ＜＜Ｃｈならば、電荷が足しあわされるため、電圧振幅は”加算”される。一方、Ｃｔ＞＞Ｃｈならば、電圧振幅は”平均化”される。駆動において、選択されるＣｔの数が多い場合には、ｎ×Ｃｔ＞Ｃｈとなるため平均化信号と記載したが、加算信号であっても何等本発明の要旨からはずれるものではない。
【図面の簡単な説明】
【００４３】
【図１】第１の実施形態による光電変換装置の概略図である。
【図２】第１の実施形態による光電変換装置の駆動パルスの概略図である。
【図３】第３の実施形態による光電変換装置の概略図である。
【図４】第３の実施形態による光電変換装置の駆動パルスの概略図である。
【図５】第４の実施形態による撮像システムの概略ブロック図である。
【図６】第４の実施形態による撮像システムの信号伝播を説明するための図である。
【図７】第５の実施形態による撮像システムの信号伝播を説明するための図である。
【図８】第６の実施形態による光電変換装置の概略図である。
【図９】第６の実施形態による光電変換装置の駆動パルスの概略図である。
【符号の説明】
【００４４】
１０１、１０１ａ、１０１ｂ、１０１ｃ、１０１ｄ  画素セル
１０２  垂直信号線（第１の信号線）
１０３  定電流回路
１０４  列アンプ
１０５  スイッチ
１０６〜１１０  信号転送スイッチ
１１１  出力チャネル線（第２の信号線）
１１２、１１２´  出力アンプ
１１３、１１３´  出力部
１１４、１１４´  リセットスイッチ
１１５  リセット電源
１１６  スイッチ
１１７  付加容量
５０１  光電変換装置
５０２  フリッカ検出部
５０３  画像生成部
５０４  画像表示部
５０５  信号処理部
６０１  画素領域
６０２  第１の信号保持部
６０３  第２の信号保持部
６０４  差分処理回路部
７０１  第３の信号保持部
Ｔ１  通常の画像信号を読み出す行の水平走査期間
Ｔ２  通常の画像信号を読み出さず、平均化信号のみを読み出す水平走査期間
【図１】
0005094248.tif 000004
【図２】
0005094248.tif 000005
【図３】
0005094248.tif 000006
【図４】
0005094248.tif 000007
【図５】
0005094248.tif 000008
【図６】
0005094248.tif 000009
【図７】
0005094248.tif 000010
【図８】
0005094248.tif 000011
【図９】
0005094248.tif 000012